(57)【要約】【課題】指に装着して指周りを装飾する新しい装身具を提供する。【解決手段】指周り装身具１０は、指に装着する指周り装身具であって、第一の指１８と、第一の指１８に隣接する第二の指２０の間に挟まれる第一部材１２と、第一部材１２に連結され、第一の指１８および第二の指２０の背に接する第二部材１４と、第一部材１２に連結され、第一の指１８および第二の指２０の腹に接する第三部材１６とを有する。指周り装身具１０は、第一の指１８の第二の指２０と反対の側面、および第二の指２０の第一の指１８と反対の側面で、隙間が形成されるように構成されている。【選択図】図２
0003204633.tif 000002
【実用新案登録請求の範囲】
【請求項１】
指に装着する指周り装身具であって、
第一の指と、前記第一の指に隣接する第二の指の間に挟まれる第一部材と、
前記第一部材に連結され、前記第一の指および前記第二の指の背に接する第二部材と、
前記前記第一部材に連結され、前記第一の指および前記第二の指の腹に接する第三部材と、を有する指周り装身具。
【請求項２】
請求項１において、
前記第一の指の前記第二の指と反対の側面、および前記第二の指の前記第一の指と反対の側面で、隙間が形成されるように構成されている指周り装身具。
【請求項３】
請求項１または２において、
前記第一部材および前記第三部材が棒形状を有する指周り装身具。
【請求項４】
請求項１から３のいずれかにおいて、
指に装着された状態で、前記第一の指と前記第二の指の先端方向から見たときに、エ字形状部を有する指周り装身具。
【請求項５】
請求項１から４のいずれかにおいて、
前記第二部材が装飾部を備える指周り装身具。
【請求項６】
請求項５において、
前記装飾部が、つがい結びを含む紐状部材であり、
前記紐状部材の一部が、前記第一の指および前記第二の指の背に接する指周り装身具。
【請求項７】
請求項１から５のいずれかにおいて、
指に装着された状態で、前記第一の指と前記第二の指の背方向から見たときに、第二部材がＳ字形になっている指周り装身具。
【請求項８】
請求項１から７のいずれかにおいて、
前記第一部材、前記第二部材、および前記第三部材が一体物である指周り装身具。
【考案の詳細な説明】
【技術分野】
【０００１】
本考案は、アーム部が環状である指輪とは異なる指周り装身具に関するものである。
【背景技術】
【０００２】
指輪は、環状のアーム部を指に装着して、指周りを装飾する装身具である。環状のアーム部を備える指輪以外にも、指に装着して指周りを装飾する装身具があれば、装飾のバリエーションが広がる。
【考案の概要】
【考案が解決しようとする課題】
【０００３】
本考案はこのような事情に鑑みてなされたものであり、指に装着して指周りを装飾する新しい装身具を提供することを目的とする。
【課題を解決するための手段】
【０００４】
本考案の指周り装身具は、指に装着する指周り装身具であって、第一の指と、第一の指に隣接する第二の指の間に挟まれる第一部材と、第一部材に連結され、第一の指および第二の指の背に接する第二部材と、第一部材に連結され、第一の指および第二の指の腹に接する第三部材とを有する。本考案の指周り装身具において、第一の指の第二の指と反対の側面、および第二の指の第一の指と反対の側面で、隙間が形成されるように構成されていてもよい。
【０００５】
本考案の指周り装身具において、第一部材および第三部材が棒形状を有していてもよい。本考案の指周り装身具において、指に装着された状態で、第一の指と第二の指の先端方向から見たときに、エ字形状部を有していてもよい。本考案の指周り装身具において、第二部材が装飾部を備えていてもよい。本考案の指周り装身具において、装飾部が、つがい結びを含む紐状部材であり、紐状部材の一部が、第一の指および第二の指の背に接していてもよい。本考案の指周り装身具において、指に装着された状態で、第一の指と第二の指の背方向から見たときに、第二部材がＳ字形になっていてもよい。本考案の指周り装身具において、第一部材、第二部材、および第三部材が一体物であってもよい。
【考案の効果】
【０００６】
本考案によれば、指に装着して指周りを装飾する新しい装身具が得られる。
【図面の簡単な説明】
【０００７】
【図１】本考案の第一の実施形態に係る指周り装身具の斜視図。
【図２】本考案の第一の実施形態に係る指周り装身具を指に装着した状態の斜視図。
【図３】本考案の第一の実施形態に係る指周り装身具の正面図。
【図４】本考案の第二の実施形態に係る指周り装身具の斜視図。
【図５】本考案の第二の実施形態に係る指周り装身具の背面図。
【０００８】
以下、本考案の指周り装身具について、図面を参照しながら各実施形態に基づいて説明する。なお、図面は、指周り装身具、指周り装身具の構成物、および指周り装身具の周辺物を模式的に表したものであり、これらの実物の寸法および寸法比は、図面上の寸法および寸法比と必ずしも一致していない。また、重複説明は適宜省略し、同一部材には同一符号を付与することがある。
【０００９】
図１は、本考案の第一の実施形態に係る指周り装身具１０を示している。図２は、指周り装身具１０を指に装着した状態を示している。図３は、指周り装身具１０が指に装着された状態で、指の先端方向から指周り装身具１０を見たときの図、すなわち正面図である。指周り装身具１０は、図２および図３に示すように、指に装着して使用する。指周り装身具１０は、第一部材１２と、第二部材１４と、第三部材１６を備えている。第一部材１２は、第一の指１８（例えば中指）と、第一の指１８に隣接する第二の指２０（例えば薬指）の間に挟まれる。第一部材１２は、例えば金属製で棒形状を有している。
【００１０】
第二部材１４は、第一部材１２の一端に連結されている。図３に示すように、第二部材１４は、第一の指１８の背１８ａおよび第二の指２０の背２０ａに接している。図１および図２に示すように、本実施形態では、指周り装身具１０が指に装着された状態で、第一の指１８と第二の指２０の背１８ａ，２０ａの方向から見たときに、第二部材１４がＳ字形になっている。本実施形態では第二部材１４がＳ字形状を有しているが、第二部材は、棒形状、長方形板形状、または楕円板形状などを有していてもよい。
【００１１】
第二部材１４は装飾が施されている、すなわち装飾部を備えている。具体的には、円柱状の複数の宝飾玉２２が連なるようにして第二部材１４が構成されている。本実施形態以外にも、第二部材が基台で、その基台上に宝飾玉や貴金属などの装飾部材を設けてもよい。また、第二部材自体の形状や構造が装飾部としての機能を有していてもよい。なお、第一部材１２と第二部材１４は一体物であってもよい。
【００１２】
図３に示すように、第三部材１６は、第一部材１２の第二部材１４と反対側、すなわち第一部材１２の他端に連結されている。また、第三部材１６は、第一の指１８の腹１８ｂと第二の指２０の腹２０ｂに接している。第三部材１６は、例えば金属製で棒形状を有している。図２および図３に示すように、第一部材１２、第二部材１４、および第三部材１６が、第一の指１８および第二の指２０を挟んでいるので、指周り装身具１０が指から容易に抜けない。
【００１３】
また、図２および図３に示すように、第二部材１４と第三部材１６は、第一の指１８および第二の指２０の側面で直接つながっていない。すなわち、第一の指１８の第二の指２０と反対の側面１８ｃ、および第二の指２０の第一の指１８と反対の側面２０ｃで、指の先端から付根まで隙間が形成されるように構成されている。このように、指周り装身具１０は、指の周囲を覆う指輪を装着したときとは異なり、指の窮屈さを感じずに解放感がある。
【００１４】
また、図３に示すように、指周り装身具１０が指に装着された状態で、第一の指１８と第二の指２０の先端方向から指周り装身具１０を見たときに、カタカナの「エ」の文字の形状部分を有している。このように、見る方向によっては直線的な部材を組み合わせたシンプルな構造になっているため、指周り装身具１０は意匠性に優れている。
【００１５】
図４は、本考案の第二の実施形態に係る指周り装身具３０を示している。図５は、指周り装身具３０が指に装着された状態で、指の根本方向から指周り装身具３０を見たときの図、すなわち背面図である（ただし、指の図示を省略した）。装身具３０も、第一部材３２と、第二部材３４と、第三部材３６とを備えている。第二部材３４は、それ自体が装飾部となっている。この装飾部は、蝶結びや固結びなどのつがい結びを含む紐状部材である。そして、紐状部材の一部３４ａが、第一の指および第二の指の背に接する。本実施形態では、第一部材３２、第二部材３４、および第三部材３６が一体物である。このため、指周り装身具３０は意匠性に優れている。
【符号の説明】
【００１６】
１０      指周り装身具
１２      第一部材
１４      第二部材
１６      第三部材
１８      第一の指
１８ａ  第一の指の背
１８ｂ  第一の指の腹
１８ｃ  第一の指の側面
２０      第二の指
２０ａ  第二の指の背
２０ｂ  第二の指の腹
２０ｃ  第二の指の側面
２２      宝飾玉
３０      指周り装身具
３２      第一部材
３４      第二部材
３４ａ  紐状部材の一部
３６      第三部材
【図１】
0003204633.tif 000003
【図２】
0003204633.tif 000004
【図３】
0003204633.tif 000005
【図４】
0003204633.tif 000006
【図５】
0003204633.tif 000007